(57)【要約】  【課題】本発明は、夏場の屋外で地面からの放射熱等によって加熱されたペットの腹部を適度に冷却してやることができペットを暑さから守り快適性に優れ、ペットを夏の日中や夕方頃に散歩に連れ出す場合にも、ペットの腹部を冷し清涼感を与えるため快適に散歩させることができ、ペットの体力の消耗を抑え病気になり難くすることができ、また冬期には保温ができ一年を通して使用することができ、さらにペットの腹部に容易に被着させることができ使用性に優れるペット用腹巻を提供することを目的とする。  【解決手段】ペットの腹部に被着される腹当部と、前記腹当部の前記ペットの腹部側又は地面側に配設された冷暖房具収納部形成部と、前記腹当部の側部に配設され前記ペットの胴部の周囲で連結される腹当連結部と、を備える。  【選択図】  図１
2005287321.tif 000002
【特許請求の範囲】
【請求項１】
ペットの腹部に被着される腹当部と、前記腹当部の前記ペットの腹部側又は地面側に配設された冷暖房具収納部形成部と、前記腹当部の側部に配設され前記ペットの胴部の周囲で連結される腹当連結部と、を備えていることを特徴とするペット用腹巻。
【請求項２】
前記腹当部の前部に延設された胸当部と、前記胸当部の縁部に配設され前記ペットの首部の周囲で連結される首連結部と、を備えていることを特徴とする請求項１に記載のペット用腹巻。
【請求項３】
前記首連結部に代えて、前記胸当部の縁部に配設され前記ペットの首輪に係着される首輪係着部を備えていることを特徴とする請求項２に記載のペット用腹巻。
【請求項４】
前記腹当連結部に代えて、前記腹当部の側部に延設された背当部と、前記背当部の所定部に配設された背当連結部と、を備えていることを特徴とする請求項１乃至３の内いずれか１に記載のペット用腹巻。
【請求項５】
前記背当部の前部に延設された側面部と、前記側面部と前記胸当部の間に形成された前脚挿通部と、を備えていることを特徴とする請求項４に記載のペット用腹巻。
【請求項６】
前記冷暖房具収納部形成部の開口部に配設され前記開口部を開閉自在にする冷暖房具収納部開閉部を備えていることを特徴とする請求項１乃至５の内いずれか１に記載のペット用腹巻。
【請求項７】
前記背当部が、遮熱材で形成されていることを特徴とする請求項４乃至６の内いずれか１に記載のペット用腹巻。
【請求項８】
（ａ）前記腹当部の地面側に配設された前記冷暖房具収納部形成部が、又は、（ｂ）腹部側に前記冷暖房具収納部形成部が配設された前記腹当部が、遮熱材で形成されている、又は、地面側に断熱材が被着されていることを特徴とする請求項１乃至７の内いずれか１に記載のペット用腹巻。
【請求項９】
（ａ）地面側に前記冷暖房具収納部形成部が配設された前記腹当部、又は、（ｂ）前記腹当部の腹部側に配設された前記冷暖房具収納部形成部が、遮水材で形成されていることを特徴とする請求項１乃至８の内いずれか１に記載のペット用腹巻。
【請求項１０】
（ａ）前記遮水材で形成された前記腹当部の腹部側、又は、（ｂ）前記遮水材で形成された前記冷暖房具収納部形成部の腹部側に、親水部材が被着されていることを特徴とする請求項９に記載のペット用腹巻。
【発明の詳細な説明】
【技術分野】
【０００１】
本発明は、ペット用腹巻、特に犬用のペット用腹巻に関するものである。
【背景技術】
【０００２】
従来より、犬等のペットを散歩させる際等に用いるペット用腹巻が開発されている。
従来の技術としては、（特許文献１）に「略三角形の平面形状を呈する腹巻本体部を構成するシートの頂点部のひとつに首掛け部材を設け、他の二つの頂点部には、それぞれの頂点部を互いに連結する連結用手段を設けたペット用腹巻」が開示されている。
【特許文献１】登録実用新案第３０５４０２２号公報
【発明の開示】
【発明が解決しようとする課題】
【０００３】
しかしながら上記従来の技術においては、以下のような課題を有していた。
（１）（特許文献１）に開示の技術は、単に布地をペットの腹部に巻き付けるだけのものなので、特に夏場の屋外では、地面からの放射熱によってペットの腹部等が熱せられ、暑さでペットの体力が消耗され易いという課題を有していた。犬等のペットは四股が短いため、腹部の位置が地面に近く、人間が感じる以上に地面からの放射熱の影響を受けるからである。
（２）そのため、夏場に犬等のペットを散歩させる際には、午前７時程度までの早朝か午後８時以降の夜間が適しているといわれているが、日中や夕方頃に散歩に連れ出されることも多く、その場合には、舌を出し切って苦しそうに歩いている様子がみられることから、ペットにとっては夏場の散歩は苦痛であるとともに体力を著しく消耗し、病気の原因にもなり易いという課題を有していた。
（３）また、夏の日差しや放射熱がペットの背中等にも照射され、ペットの苦痛が増大するという課題を有していた。
（４）また、老犬、老猫、心臓病等のペットに与える負担を軽減するため、夏は涼しくして冬は保温してやるのが望ましいが、薄いシートで形成されているので、それらが困難であるという課題を有していた。
【０００４】
本発明は上記従来の課題を解決するもので、夏場の屋外で地面からの放射熱等によって加熱されたペットの腹部を適度に冷却してやることができペットを暑さから守り快適性に優れ、ペットを夏の日中や夕方頃に散歩に連れ出す場合にも、ペットの腹部を冷し清涼感を与えるため快適に散歩させることができ、ペットの体力の消耗を抑え病気になり難くすることができ、また冬期には保温ができ一年を通して使用することができ、さらにペットの腹部に容易に被着させることができ使用性に優れるペット用腹巻を提供することを目的とする。
【課題を解決するための手段】
【０００５】
上記従来の課題を解決するために本発明のペット用腹巻は、以下の構成を有している。
本発明の請求項１に記載のペット用腹巻は、ペットの腹部に被着される腹当部と、前記腹当部の前記ペットの腹部側又は地面側に配設された冷暖房具収納部形成部と、前記腹当部の側部に配設され前記ペットの胴部の周囲で連結される腹当連結部と、を備えた構成を有している。
この構成により、以下のような作用が得られる。
（１）ペットの腹部に被着される腹当部と、腹当部の腹部側又は地面側に配設された冷暖房具収納部形成部と、を備えているので、冷暖房具収納部形成部と腹当部との間に冷却具を収納させることができるため、夏場の屋外で地面からの放射熱等によって熱せられたペットの腹部を適度に冷却してやることができ、ペットを暑さから守り快適にできる。
（２）ペットを夏季の日中や夕方頃に散歩に連れ出す場合にも、ペットに清涼感を与えるため快適に散歩させることができ、ペットの体力の消耗を抑え病気になり難くすることができる。
（３）ペットの胴部の周囲で連結される腹当連結部を備えているので、ペットの腹部に腹当部を当て腹当連結部を用いて連結することによって腹当部をペットの腹部に容易に被着させることができ使用性に優れる。
（４）冷暖房具収納部形成部と腹当部との間に懐炉等の暖房具を収納させることができるため、ペットの腹部を中心に温めることができ、ペットを寒さから守り快適にできる。
【０００６】
ここで、腹当部としては、合成繊維や天然繊維等で形成された織布，不織布，編布等の布地、合成樹脂製やゴム製等で形成されたシート材やフィルム材、合成樹脂製やゴム製等で形成されたメッシュ材等を基材として用いて形成される。また、これらの基材にアルミニウム等の金属膜を被着したもの、これら布地，シート材等の積層体等を用いることもできる。
腹当部の形状，大きさ，材質は、腹部に被着できるように、ペットの大きさや種類等に応じて適宜選択することができる。
【０００７】
冷暖房具収納部形成部としては、ペットに装着したときにペットの腹部側又は地面側となる腹当部の所定部に、冷暖房具を出し入れする開口部を除く周縁部を、熱エンボスや超音波溶融等により溶融接着する方法，低融点パウダー等の熱可塑性樹脂を介して熱融着する方法，接着剤等により樹脂接着する方法，ミシン縫製等により縫い合わせる方法等によって固着され、冷暖房具を収納する冷暖房具収納部が形成される。また、冷暖房具収納部形成部を、冷暖房具を出し入れする開口部を有する袋状に形成し、この袋状に形成された冷暖房具収納部形成部を溶着，融着，接着，縫着等することによって、腹当部に配設される。
【０００８】
冷暖房具としては、冷却具又は懐炉や湯たんぽ等の暖房具が用いられ、夏季には冷却具を、冬期には暖房具を用いることにより、ペットを一年中快適にしてやることができる。
冷却具としては、氷を外装材に収納した氷嚢、水溶性高分子，アルコール系溶液のゲル，ポリアクリル酸ナトリウム等のゲル，ポリビニルアルコールに塩化マグネシウムを配合した組成物，高分子吸水剤と多価アルコール水溶液を配合した組成物等を含有する保冷剤を外装材に収納した保冷材、アイスノン（登録商標）ソフト等の冷却まくら等を用いることができる。
【０００９】
腹当連結部としては、紐，幅広の帯状体等を用いることができる。紐同士や帯状体同士を繋縛することで胴部の周囲で連結させることができる。
また、帯状体等の胴部装着部や腹当部等の端部寄りにホック，ボタン，ファスナー，面ファスナー等の腹当連結部を配設することで、胴部装着部同士、胴部装着部と腹当部、腹当部同士を簡便に連結させることができる。腹当連結部としては、マジックテープ（登録商標）等の面ファスナーが好適に用いられる。素早く着脱できるとともにペットの胴回りの太さに応じ締め付け力の調整が容易にできるからである。
【００１０】
本発明の請求項２に記載の発明は、請求項１に記載のペット用腹巻であって、前記腹当部の前部に延設された胸当部と、前記胸当部の縁部に配設され前記ペットの首部の周囲で連結される首連結部と、を備えた構成を有している。
この構成により、請求項１で得られる作用に加え、以下のような作用が得られる。
（１）腹当部の前部に延設された胸当部と、胸当部の縁部に配設されペットの首部の周囲で連結される首連結部と、を備えているので、ペットに装着したときに胸当部がペットの前脚の間に入り、さらに胸当部が首連結部でペットの首部に固定されるので、腹当部がペットの胴部の回りで回転したりずれたりすることなく、安定に着用させることができる。
【００１１】
ここで、胸当部は、ペットの前脚の間隔と略同一幅かわずかに狭く形成される。ペットの歩行の妨げにならないためである。
胸当部は、腹当部と一体に形成させることができる。また、別々に製造して連結させることもできる。
【００１２】
首連結部としては、紐，幅広の帯状体等が用いられる。紐同士や帯状体同士を繋縛することで首部の周囲で連結させることができる。
また、帯状体等の首装着部の端部寄りにホック，ボタン，ファスナー，面ファスナー等の首連結部を配設することで、首装着部を首部の周囲で簡便に連結させることができる。首連結部としては、マジックテープ（登録商標）等の面ファスナーが好適に用いられる。素早く着脱できるとともにペットの首回りの太さに応じ締め付け力の調整が容易にできるからである。
首装着部は、胸当部と一体に形成させることができる。また、別々に製造して連結させることもできる。
【００１３】
また、基材に含浸させたノミ・ダニ等駆除剤や粒状等のノミ・ダニ等駆除剤を収納できるように、首連結部や首装着部の内側（ペットの首部側）に、袋状の駆除剤収納部を形成しておくことができる。これにより、ペットが山野で運動した際でもノミ・ダニ等が首の回りに付くのを防止できるとともに、駆除剤を交換可能にできる。
【００１４】
本発明の請求項３に記載の発明は、請求項２に記載のペット用腹巻であって、前記首連結部に代えて、前記胸当部の縁部に配設され前記ペットの首輪に係着される首輪係着部を備えた構成を有している。
この構成により、請求項２で得られる作用に加え、以下のような作用が得られる。
（１）ペットの首輪に係着される首輪係着部を備えているので、ペットが着用している首輪に係着させることで腹当部をペットの腹部に被着させることができ使用性に優れる。
【００１５】
ここで、首輪係着部としては、紐，幅広の帯状体、フック等が用いられる。紐や帯状体を首輪に繋縛することで首輪に係着させることができる。また、フックを首輪に係着させることで固定することができる。また、帯状体等で形成された首輪係着部の所定部にホック，ボタン，面ファスナー等の係止部を配設することで、首輪係着部を首輪に簡便に係止させることができる。係止部としては、マジックテープ（登録商標）等の面ファスナーが好適に用いられる。素早く着脱できるとともにペットの胸部から首輪までの長さや首輪の太さ等に応じ調整が容易にできるからである。
首輪係着部は、胸当部と一体に形成させることができる。また、別々に製造して連結させることもできる。
なお、首輪係着部の内側（ペットの首部側）に、請求項１で説明したのと同様に、袋状の駆除剤収納部を形成しておくことができる。
【００１６】
本発明の請求項４に記載の発明は、請求項１乃至３の内いずれか１に記載のペット用腹巻であって前記腹当連結部に代えて、前記腹当部の側部に延設された背当部と、前記背当部の所定部に配設された背当連結部と、を備えた構成を有している。
この構成により、請求項１乃至３の内いずれか１で得られる作用に加え、以下のような作用が得られる。
（１）腹当部の側部に延設された背当部を備えているので、ペットの背中に注がれる日差しや放射熱等を和らげ、ペットを快適にさせることができる。
（２）背当部を備えているので、降雨等があったときでもレインコートの代わりにすることができる。
（３）背当部の所定部に配設された背当連結部を備えているので、ペットの腹部に腹当部を当て、背当連結部を用いて背当部を連結することによって、腹当部をペットの腹部に、背当部をペットの背中に容易に被着させることができ使用性に優れる。
【００１７】
ここで、背当部は、腹当部と一体に形成させることができる。また、別々に製造して連結させることもできる。
【００１８】
背当連結部としては、背当部の所定部に配設された紐，ホック，ボタン，ファスナー，面ファスナー等が用いられる。なかでも、マジックテープ（登録商標）等の面ファスナーが好適に用いられる。素早く着脱できるとともにペットの胴回りの太さに応じ締め付け力の調整が容易にできるからである。
【００１９】
本発明の請求項５に記載の発明は、請求項４に記載のペット用腹巻であって、前記背当部の前部に延設された側面部と、前記側面部と前記胸当部の間に形成された前脚挿通部と、を備えた構成を有している。
この構成により、請求項４に記載の作用に加え、以下のような作用が得られる。
（１）側面部が背当部に延設されているので、背中だけでなく胴部の側方等も日差しや放射熱等から保護することができ快適性に優れる。
（２）前脚挿通部が形成されているので、ペット用腹巻を安定に固定することができるとともにペットの歩行等に支障を与えず安定性と快適性に優れる。
【００２０】
本発明の請求項６に記載の発明は、請求項１乃至５の内いずれか１に記載のペット用腹巻であって、前記冷暖房具収納部形成部の開口部に配設され前記開口部を開閉自在にする冷暖房具収納部開閉部を備えた構成を有している。
この構成により、請求項１乃至５の内いずれか１で得られる作用に加え、以下のような作用が得られる。
（１）冷暖房具収納部形成部の開口部を開閉自在にする冷暖房具収納部開閉部を備えているので、ペットが歩行したり運動したりしても、開口部から収納された冷暖房具が飛び出すことがなく使用性に優れる。
【００２１】
ここで、冷暖房具収納部開閉部としては、開口部の内側や外側の所定部に配設された紐，ホック，ボタン，ファスナー，面ファスナー等が用いられる。なかでも、マジックテープ（登録商標）等の面ファスナーが好適に用いられる。素早く着脱できるからである。
【００２２】
本発明の請求項７に記載の発明は、請求項４乃至６の内いずれか１に記載のペット用腹巻であって、前記背当部が、遮熱材で形成された構成を有している。
この構成により、請求項４乃至６の内いずれか１で得られる作用に加え、以下のような作用が得られる。
（１）背当部が遮熱材で形成されているので、ペットの背中に注がれる日差しや放射熱等を遮断し、ペットを快適にさせることができる。
【００２３】
ここで、遮熱材としては、ビニロン，ポリエステル，アクリル，ポリエチレン等の合成樹脂繊維を平織り，ラッセル編み，カラミ織り，テープ織り等によって形成したネット類、ポリエステル，ポリプロピレン等の合成樹脂繊維を素材として用いた長繊維不織布、ポリエステル等の合成樹脂製フィルム等に熱放射率の低いアルミニウム等の金属膜を蒸着や塗布等で被着した熱反射層を表面に有する金属フィルム類等が用いられる。なかでも熱反射層を有する遮熱材が好適に用いられる。軽量性に優れ小型のペットに装着しても重量負担になり難いからである。
【００２４】
本発明の請求項８に記載の発明は、請求項１乃至７の内いずれか１に記載のペット用腹巻であって、（ａ）前記腹当部の地面側に配設された前記冷暖房具収納部形成部が、又は、（ｂ）腹部側に前記冷暖房具収納部形成部が配設された前記腹当部が、遮熱材で形成されている、又は、地面側に断熱材が被着された構成を有している。
この構成により、請求項１乃至７の内いずれか１で得られる作用に加え、以下のような作用が得られる。
（１）冷暖房具が収納される地面側に遮熱材や断熱材が配設されているので、収納された冷却具に到達する放射熱の量を抑制して冷却具を溶け難くすることができ、ペットが長時間散歩等を行う間の冷却具の冷却効果を維持することができ快適に保つことができる。また、収納された懐炉等の暖房具を保温し、暖房具の発熱効果を維持することができ快適に保つことができる。
【００２５】
ここで、遮熱材としては、請求項７で説明したものと同様なので、説明を省略する。
断熱材としては、発泡ウレタン等の独立気泡を有する合成樹脂材、合成樹脂等で形成された多数の小室内に空気等のガスを封入したシート材、軟質繊維板，綿，フェルト等の天然繊維断熱材、グラスウール，セラミック繊維，ポリエステル綿等の人工繊維断熱材等が用いられる。
【００２６】
本発明の請求項９に記載の発明は、請求項１乃至８の内いずれか１に記載のペット用腹巻であって、（ａ）地面側に前記冷暖房具収納部形成部が配設された前記腹当部、又は、（ｂ）前記腹当部の腹部側に配設された前記冷暖房具収納部形成部が、遮水材で形成された構成を有している。
この構成により、請求項１乃至８の内いずれか１で得られる作用に加え、以下のような作用が得られる。
（１）冷暖房具が収納される腹部側に遮水材が配設されているので、収納された冷却具に結露が生じても、結露水がペットの腹部に接触することがなく、ペットの腹部を濡らさずに快適に保つことができる。
（２）冷却具の冷たさや暖房具の温かさを、遮水材を通してペットの腹部に伝達させることができ快適性に優れる。
【００２７】
ここで、遮水材としては、ポリエチレン，ポリプロピレン，ポリエステル，ナイロン，ポリ塩化ビニル，ポリ塩化ビニリデン等の合成樹脂製フィルム及びそれらの積層体、アルミニウム箔等の金属箔等の柔軟で不透水性のフィルム類やシート類が用いられる。
【００２８】
本発明の請求項１０に記載の発明は、請求項９に記載のペット用腹巻であって、（ａ）前記遮水材で形成された前記腹当部の腹部側、又は、（ｂ）前記遮水材で形成された前記冷暖房具収納部形成部の腹部側に、親水部材が被着された構成を有している。
この構成により、請求項９で得られる作用に加え、以下のような作用が得られる。
（１）遮水材で形成された腹当部の腹部側（ペットの腹部側）、又は、遮水材で形成された冷暖房具収納部形成部の腹部側（ペットの腹部側）に親水部材が被着されているので、収納された冷却具によって遮水材に結露が生じても、結露水を親水部材が吸収するので、ペットの腹部が濡れてペットが不快になるのを防止できる。
（２）ペットの腹部に接触する腹当部の腹部側や冷暖房具収納部形成部の腹部側の感触を老犬、老猫等が好む柔らかな感触にすることができる。
【００２９】
ここで、親水部材としては、親水性を有する織布，編布，不織布，ネット類等が用いられる。例えば、綿やレーヨン等の織布や編布、ポリエステル，ナイロン，アクリル等を材料として表面に微小な溝部や孔部等を形成した合成樹脂製繊維の織布や編布、綿，レーヨン，ポリエステル，ナイロン，アクリル等を材料としてスパンボンド法，ニードルパンチ法，メルトブロー法，水流交絡法等で製造される不織布等が用いられる。また、これらの繊維を混合して形成した織布や不織布等が用いられる。
【発明の効果】
【００３０】
以上のように、本発明のペット用腹巻によれば、以下のような有利な効果が得られる。
請求項１に記載の発明によれば、
（１）冷暖房具収納部形成部と腹当部との間に冷却具を収納させることができるため、夏場の屋外で地面からの放射熱等によって熱せられたペットの腹部を適度に冷却してやることができ、ペットを暑さから守り快適性に優れたペット用腹巻を提供することができる。
（２）ペットを夏季の日中や夕方頃に散歩に連れ出す場合にも、ペットに清涼感を与えるため快適に散歩させることができ、ペットの体力の消耗を抑え病気になり難くすることができるペット用腹巻を提供することができる。
（３）ペットの胴部の周囲で連結される腹当連結部を備えているので、ペットの腹部に腹当部を当て腹当連結部を用いて連結することによって腹当部をペットの腹部に容易に被着させることができ使用性に優れたペット用腹巻を提供することができる。
（４）冷暖房具収納部形成部と腹当部との間に懐炉等の暖房具を収納させることができるため、ペットの腹部を中心に温めることができ、ペットを寒さから守り快適性に優れたペット用腹巻を提供することができる。
【００３１】
請求項２に記載の発明によれば、請求項１の効果に加え、
（１）ペットに装着したときに胸当部がペットの前脚の間に入り、さらに胸当部が首連結部でペットの首部に固定されるので、腹当部がペットの胴部の回りで回転したりずれたりすることなく、安定に着用させることができる安定性に優れたペット用腹巻を提供することができる。
【００３２】
請求項３に記載の発明によれば、請求項１又は２の効果に加え、
（１）ペットが着用している首輪に係着させることで腹当部をペットの腹部に被着させることができ使用性に優れたペット用腹巻を提供することができる。
【００３３】
請求項４に記載の発明によれば、請求項１乃至３の内いずれか１の効果に加え、
（１）ペットの背中に注がれる日差しや放射熱等を和らげ、ペットを快適にさせることができる快適性に優れたペット用腹巻を提供することができる。
（２）降雨等があったときでもレインコートの代わりにできるペット用腹巻を提供することができる。
（３）ペットの腹部に腹当部を当て、背当連結部を用いて背当部を係止することによって、腹当部をペットの腹部に、背当部をペットの背中に容易に被着させることができ使用性に優れたペット用腹巻を提供することができる。
【００３４】
請求項５に記載の発明によれば、請求項４の効果に加え、
（１）側面部が背当部に延設されているので、背中だけでなく胴部の側方等も日差しや放射熱等から保護することができ快適性に優れたペット用腹巻を提供することができる。
（２）前脚挿通部が形成されているので、ペット用腹巻を安定に固定することができるとともにペットの歩行等に支障を与えず安定性と快適性に優れたペット用腹巻を提供することができる。
【００３５】
請求項６に記載の発明によれば、請求項１乃至５の内いずれか１の効果に加え、
（１）ペットが歩行したり運動したりしても、開口部から収納された冷暖房具が飛び出すことがなく使用性に優れたペット用腹巻を提供することができる。
【００３６】
請求項７に記載の発明によれば、請求項１乃至６の内いずれか１の効果に加え、
（１）ペットの背中に注がれる日差しや放射熱等を遮断し、ペットを快適にさせることができる快適性に優れたペット用腹巻を提供することができる。
【００３７】
請求項８に記載の発明によれば、請求項１乃至７の内いずれか１の効果に加え、
（１）収納された冷却具に到達する放射熱の量を抑制して冷却具を溶け難くすることができ、ペットが長時間散歩等を行う間の冷却具の冷却効果を維持することができ快適に保つことができる冷却持続性に優れたペット用腹巻を提供することができる。また、収納された懐炉等の暖房具を保温し、暖房具の発熱効果を維持することができ快適に保つことができる暖房の持続性に優れたペット用腹巻を提供することができる。
【００３８】
請求項９に記載の発明によれば、請求項１乃至８の内いずれか１の効果に加え、
（１）収納された冷却具に結露が生じても、結露水がペットの腹部に接触することがなく、ペットの腹部を濡らさずに快適性に優れたペット用腹巻を提供することができる。
（２）冷却具の冷たさや暖房具の温かさを、遮水材を通してペットの腹部に伝達させることができ快適性に優れたペット用腹巻を提供することができる。
【００３９】
請求項１０に記載の発明によれば、請求項９の効果に加え、
（１）収納された冷却具によって遮水材に結露が生じても、結露水を親水部材が吸収するので、ペットの腹部が濡れてペットが不快になるのを防止できる快適性に優れたペット用腹巻を提供することができる。
（２）ペットの腹部に接触する腹当部の腹部側や冷暖房具収納部形成部の腹部側の感触を老犬、老猫等が好む柔らかな感触にすることができる快適性に優れたペット用腹巻を提供することができる。
【発明を実施するための最良の形態】
【００４０】
以下、本発明を実施するための最良の形態を、図面を参照しながら説明する。なお、ペット用腹巻をペットに装着した際に、ペットに接触する側を内面、その反対面を外面として説明する。
（実施の形態１）
図１は本発明の実施の形態１におけるペット用腹巻を広げた状態の外面図であり、図２は図１のＡ−Ａ線における要部断面端面図であり、図３は実施の形態１におけるペット用腹巻をペットに装着した状態を示す斜視図である。
図１において、１は実施の形態１におけるペット用腹巻、２は合成樹脂繊維のネット類，合成樹脂繊維を素材として用いた長繊維不織布，金属フィルム類等の遮熱材で形成されたペット用腹巻１の腹当部、３は略矩形状に形成され一辺を除く周縁部が溶着，融着，接着，縫着等によって腹当部２の表側（ペットに装着したときには地面側となる。）に固着された冷暖房具収納部形成部である。本実施の形態においては、冷暖房具収納部形成部３は、腹当部２と同様に遮熱材で形成されている。
３ａは冷暖房具収納部形成部３の開口部、４は一端部が開口部３ａ近傍の腹当部２に固着された係止片、５は係止片４の他端側の裏側及び開口部３ａ近傍の冷暖房具収納部形成部３の表側に配設された面ファスナー等の冷暖房具収納部開閉部、６，６は腹当部２の側部の両側に延設された背当部、７は一方の背当部６の端部の表側に配設された面ファスナー等の背当連結部、７ａは他方の背当部６の端部の裏側に配設された面ファスナー等の背当連結部、８は腹当部２の前部に延設された略矩形状の胸当部、９，９は背当部６，６の前部に延設された側面部、１０は胸当部８と側面部９，９の縁部に配設された帯状の首装着部、１１は首装着部１０の一端部の表側に配設された面ファスナー等の首連結部、１１ａは首装着部１０の他端部の裏側に配設された面ファスナー等の首連結部、１２，１２は胸当部８、側面部９，９、首装着部１０で包囲されて形成された前脚挿通部である。
【００４１】
図２において、２は腹当部、３は冷暖房具収納部形成部、３ａは開口部、１３は冷暖房具収納部形成部３よりも一回り小さい大きさで冷暖房具収納部形成部３の腹部側の腹当部２に形成された腹当部開口部、１４は合成樹脂製フィルム，アルミニウム箔等の金属箔，アルミニウム等の金属膜を合成樹脂製フィルムに被着した金属フィルム等の遮水材で形成され周縁部が腹当部２の腹部側に固着され腹当部開口部１３を密閉する開口部密閉部、１５は開口部密閉部１４の腹部側に被着された綿やレーヨン等の織布や編布、綿，レーヨン，ポリエステル，ナイロン，アクリル等の不織布等の親水部材、１６は冷暖房具収納部形成部３で形成された冷暖房具収納部である。
【００４２】
以上のように構成された本発明の実施の形態１におけるペット用腹巻について、以下その装着方法を図面を参照しながら説明する。
まず、氷嚢，保冷材等の冷却具や懐炉等の暖房具からなる冷暖房具を開口部３ａから冷暖房具収納部１６に収納した後、係止片４の冷暖房具収納部開閉部５を用いて開口部３ａを閉止する。
次いで、図３に示すように、前脚挿通部１２，１２にペットの前脚を挿通し、ペットの首部の周囲に首装着部１０を装着し首連結部１１，１１ａを用いて首装着部１０の端部同士を連結する。次に、ペットの腹部に腹当部２を当てながら背当連結部７，７ａを用いて背当部６を連結し、腹当部２をペットの腹部に、背当部６をペットの背中に被着させる。
【００４３】
以上のように、本発明の実施の形態１におけるペット用腹巻は構成されているので、以下のような作用が得られる。
（１）ペットの腹部に被着される腹当部２と、腹当部２の地面側に配設された冷暖房具収納部形成部３と、を備えているので、冷暖房具収納部形成部３と腹当部２との間に形成された冷暖房具収納部１６に冷却具を収納させることができるため、夏場の屋外で地面からの放射熱によって熱せられたペットの腹部を適度に冷却してやることができ、ペットを暑さから守り快適にできる。また、冷暖房具収納部１６に懐炉等の暖房具を収納させることができるため、ペットの腹部を中心に温めることができ、ペットを寒さから守り快適にできる。
（２）ペットを夏場の日中や夕方頃に散歩に連れ出す場合にも、ペットに清涼感を与えるため快適に散歩させることができ、ペットの体力の消耗を抑え病気になり難くすることができる。
（３）腹当部２の前部に延設された胸当部８と、胸当部８の縁部に配設されペットの首部の周囲で連結される首連結部１１と、を備えているので、ペットに装着したときに胸当部８がペットの前脚の間に入り、さらに胸当部８が首連結部１１でペットの首部に固定されるので、腹当部２がペットの胴部の回りで回転したりずれたりすることなく、安定に着用させることができる。
（４）腹当部２の側部の両側に延設された背当部６，６を備えているので、ペットの背中に注がれる日差しや放射熱等を和らげ、ペットを快適にさせることができる。
（５）背当部６を備えているので、降雨等があったときでもレインコートの代わりにすることができる。
（６）背当部６の所定部に配設された背当連結部７，７ａを備えているので、腹当部２をペットの腹部に、背当部６をペットの背中に容易に被着させることができ使用性に優れる。
（７）冷暖房具収納部形成部３の開口部３ａを開閉自在にする冷暖房具収納部開閉部５を備えているので、ペットが歩行したり運動したりしても、冷暖房具収納部１６に収納された冷暖房具が開口部３ａから飛び出すことがなく使用性に優れる。
（８）背当部６が遮熱材で形成されているので、ペットの背中に注がれる日差しや放射熱等を遮断し、ペットを快適にさせることができる。
（９）冷暖房具収納部形成部３が遮熱材で形成され腹当部２の地面側に配設されているので、冷暖房具収納部１６に収納された冷却具に到達する放射熱の量を抑制して冷却具を溶け難くすることができ、ペットが長時間散歩等を行う間の冷却具の冷却効果を維持することができ快適に保つことができる。
（１０）地面側に冷暖房具収納部形成部３が配設された腹当部２に腹当部開口部１３が形成され、遮水材で形成された開口部密閉部１４で腹当部開口部１３が密閉されているので、熱伝導率の低いネット類等の遮熱材で腹当部２が形成されていても、冷却具が接触する開口部密閉部１４を通してペットの腹部に冷たさが伝わり易く快適にすることができる。
（１１）開口部密閉部１４が遮水材で形成されているので、冷暖房具収納部１６に収納された冷却具に結露が生じても、その結露水が直接ペットの腹部に接触することがなく、ペットの腹部を濡らさずに快適に保つことができる。
（１２）開口部密閉部１４の腹部側に親水材１５が被着されているので、冷暖房具収納部１６に収納された冷却具によって冷却された開口部密閉部１４に結露が生じても、結露水を親水材１５が吸収するので、ペットの腹部が濡れてペットが不快になるのを防止できる。
（１３）側面部９，９が背当部６，６に延設されているので、背中だけでなく胴部の側方等も日差しや放射熱等から保護することができる。
（１４）前脚挿通部１２，１２が形成されているので、ペット用腹巻１を安定に固定することができるとともにペットの歩行等に支障を与えない。
（１５）冷暖房具収納部開閉部５、背当連結部７，７ａ、首連結部１１，１１ａが面ファスナーで形成されているので、素早く着脱することができるとともに、胴部や首部の周囲の太さに応じて寸法調整が容易で使用性に優れる。
【００４４】
ここで、本実施の形態においては、冷暖房具収納部形成部３が遮熱材で形成されている場合について説明したが、遮熱材で形成する代わりに、冷暖房具収納部形成部３に発泡ウレタン等の独立気泡を有する合成樹脂材、合成樹脂等で形成された多数の小室内に空気等のガスを封入したシート材、天然繊維断熱材、人工繊維断熱材等の断熱材を被着する場合もある。この場合も同様の作用が得られるとともに、断熱材が、冷暖房具収納部１６に収納された懐炉等の暖房具を保温し、暖房具の発熱効果を維持することができ快適に保つことができ暖房の持続性に優れる。
また、腹当部２が遮熱材で形成された場合について説明したが、合成繊維や天然繊維等で形成された織布，不織布，編布の布地等の遮熱性を有しない部材で形成された場合には、その熱伝導率を利用して冷却具の冷たさを腹部に伝達できるので、腹当部開口部１３を形成せずに、結露水を通さない遮水材を腹当部２の表側又は裏側に配設すればよい。これによっても、同様の作用が得られる。
また、天然繊維断熱材、人工繊維断熱材等の断熱材を冷暖房具収納部１６の内側の開口部密閉部１４に配設する場合もある。この場合は、冷却具の冷却効果や暖房具の暖房効果を断熱材で緩衝できるので、ペットの腹部が冷えすぎたり熱くなりすぎたりするのを防止できる。
【００４５】
（実施の形態２）
図４は本発明の実施の形態２におけるペット用腹巻を広げた状態の外面図であり、図５は図４のＢ−Ｂ線における要部断面端面図であり、図６は実施の形態２におけるペット用腹巻をペットに装着した状態を示す斜視図である。なお、実施の形態１で説明したものと同様のものは、同じ符号を付して説明を省略する。
図４において、２０は実施の形態２におけるペット用腹巻、２１は合成樹脂製フィルム，アルミニウム箔等の金属箔等の遮水材で形成され周縁部が腹当部２の裏側（ペットに装着したときには腹部側になる。）に固着された冷暖房具収納部形成部、２１ａは冷暖房具収納部形成部２１の開口部、２１ｂは一端部が開口部２１ａ近傍の腹当部２の腹部側に固着された係止片、２１ｃは係止片２１ｂの他端側及び開口部２１ａ近傍の冷暖房具収納部形成部２１に配設された面ファスナー等の冷暖房具収納部開閉部、２２，２２は背当部６，６の側部側が略Ｕ字状に切欠された背当切欠部である。
図５において、２１は遮水材で形成された冷暖房具収納部形成部、２１ａは開口部、２３は冷暖房具収納部形成部２１の腹部側に被着された綿やレーヨン等の織布や編布、綿，レーヨン，ポリエステル，ナイロン，アクリル等の不織布等の親水部材、２４は冷暖房具収納部形成部２１によって形成された冷暖房具収納部である。
【００４６】
以上のように構成された本発明の実施の形態２におけるペット用腹巻について、以下その装着方法を図面を参照しながら説明する。
まず、氷嚢，保冷材等の冷却具や懐炉等の暖房具からなる冷暖房具を開口部２１ａから冷暖房具収納部２４に収納した後、係止片２１ｂの冷暖房具収納部開閉部２１ｃを用いて開口部２１ａを閉止する。
次いで、図６に示すように、胸当部８をペットの胸部に当てながら首部の周囲に首装着部１０を装着し首連結部１１，１１ａを用いて首装着部１０の端部同士を連結する。次に、ペットの腹部に腹当部２の腹部側に形成された冷暖房具収納部２３を当てながら背当連結部７，７ａを用いて背当部６を連結し、腹当部２をペットの腹部に、背当部６をペットの背中に被着させる。
【００４７】
以上のように、本発明の実施の形態２におけるペット用腹巻は構成されているので、実施の形態１の作用に加え、以下のような作用が得られる。
（１）冷暖房具収納部形成部２１が遮熱材で形成された腹当部２の腹部側に配設されているので、冷暖房具収納部２４に収納された冷却具に到達する放射熱の量を抑制して冷却具を溶け難くすることができ、ペットが長時間散歩等を行う間の冷却具の冷却効果を維持することができ快適に保つことができる。
（２）冷暖房具収納部形成部２１が遮水材で形成され腹当部２の腹部側に配設されているので、冷暖房具収納部２４に収納された冷却具に結露が生じても、その結露水が直接ペットの腹部に接触することがなく、ペットの腹部を濡らさずに快適に保つことができる。
（３）冷却具の冷たさや暖房具の温かさを、遮水材で形成された冷暖房具収納部形成部２１を通してペットの腹部に伝達させることができ快適性に優れる。
（４）遮水材で形成された冷暖房具収納部形成部２１の腹部側に親水部材２３が被着されているので、冷暖房具収納部２４に収納された冷却具によって冷暖房具収納部形成部２１の腹部側に結露が生じても、結露水を親水部材２３が吸収するので、ペットの腹部が濡れてペットが不快になるのを防止できる。また、老犬、老猫等が好む柔らかな感触にすることができ快適性に優れる。
（５）背当部６，６の側部側が略Ｕ字状に切欠された背当切欠部２２を備えているので、背当連結部７，７ａを短く形成することができ、胴部が長いペットであっても容易に装着することができ使用性に優れる。
（６）冷暖房具収納部形成部２１が遮熱材で形成された腹当部２の腹部側に配設され冷暖房具収納部２４を形成しているので、腹当部２の地面側に冷暖房具収納部が形成された実施の形態１の場合と異なり、腹当部２に開口部（腹当部開口部１３）を形成する必要がなく、構成を単純化できるので量産性に優れるとともに耐久性に優れる。
【００４８】
なお、冷暖房具収納部形成部２１が配設された腹当部２の地面側や腹部側に、発泡ウレタン等の独立気泡を有する合成樹脂材、合成樹脂等で形成された多数の小室内に空気等のガスを封入したシート材、天然繊維断熱材、人工繊維断熱材等の断熱材を被着する場合もある。これにより、冷却具の冷却効果の持続時間をより長くすることができる。また、断熱材が、冷暖房具収納部２４に収納された懐炉等の暖房具を保温し、暖房具の発熱効果を維持することができ快適に保つことができ暖房の持続性に優れる。
【００４９】
（実施の形態３）
図７は実施の形態３におけるペット用腹巻を広げた状態の外面図であり、図８は実施の形態３におけるペット用腹巻をペットに装着した状態を示す斜視図である。なお、実施の形態１、実施の形態２で説明したものと同様のものは、同じ符号を付して説明を省略する。
図７において、３０は実施の形態３におけるペット用腹巻、３１は腹当部２の側部の一方に一端部が固着された帯状体等の胴部装着部、３２は腹当部２の他方の側部の表側の所定箇所に配設された面ファスナー等の腹当連結部、３２ａは胴部装着部３１の他端部の裏側に配設された面ファスナー等の腹当連結部、３３は胸当部８の縁部に延設された首輪係着部、３４は首輪係着部３３の所定部に配設された面ファスナー等の係止部、３４ａは首輪係着部３３の端部に配設された面ファスナー等の係止部である。
図８において、４０はペットの首部に装着された首輪である。
【００５０】
実施の形態３におけるペット用腹巻をペットに装着する際には、まず、氷嚢，保冷材等の冷却具や懐炉等の暖房具からなる冷暖房具を開口部２１ａから収納した後、係止片２１ｂの冷暖房具収納部開閉部２１ｃを用いて開口部２１ａを閉止する。
次いで、図８に示すように、胸当部８をペットの胸部に当てながら首輪係着部３３で首輪４０を巻き込み、係止部３４，３４ａで係止し首輪係着部３３を首輪４０に係着する。次に、ペットの腹部に冷暖房具収納部形成部２１が配設された腹当部２を当てながら胴部装着部３１をペットの背中から胴部の周囲に渡し、腹当連結部３２，３２ａを用いて胴部装着部３１をペットの胴部の周囲で連結し、腹当部２をペットの腹部に被着させる。
【００５１】
以上のように、本発明の実施の形態３におけるペット用腹巻は構成されているので、実施の形態２の作用に加え、以下のような作用が得られる。
（１）ペットの胴部の周囲で連結される腹当連結部３２，３２ａを備えているので、ペットの腹部に腹当部２を当て、胴部装着部３１をペットの背中から胴部の周囲に渡して連結することによって、腹当部２をペットの腹部に容易に被着させることができ使用性に優れる。
【産業上の利用可能性】
【００５２】
本発明は、ペット用腹巻、特に犬用のペット用腹巻に関し、夏場の屋外で地面からの放射熱等によって加熱されたペットの腹部を適度に冷却してやることができペットを暑さから守り快適性に優れ、ペットを夏の夕方頃に散歩に連れ出す場合にも、ペットに清涼感を与えるため快適に散歩させることができ、ペットの体力の消耗を抑え病気になり難くすることができ、また冬期には保温ができ一年を通して使用することができ、さらにペットの腹部に容易に被着させることができ使用性に優れるペット用腹巻を提供することができる。
【図面の簡単な説明】
【００５３】
【図１】実施の形態１におけるペット用腹巻を広げた状態の外面図
【図２】図１のＡ−Ａ線における要部断面端面図
【図３】実施の形態１におけるペット用腹巻をペットに装着した状態を示す斜視図
【図４】実施の形態２におけるペット用腹巻を広げた状態の外面図
【図５】図４のＢ−Ｂ線における要部断面端面図
【図６】実施の形態２におけるペット用腹巻をペットに装着した状態を示す斜視図
【図７】実施の形態３におけるペット用腹巻を広げた状態の外面図
【図８】実施の形態３におけるペット用腹巻をペットに装着した状態を示す斜視図
【符号の説明】
【００５４】
１  ペット用腹巻
２  腹当部
３  冷暖房具収納部形成部
３ａ  開口部
４  係止片
５  冷暖房具収納部開閉部
６  背当部
７，７ａ  背当連結部
８  胸当部
９  側面部
１０  首装着部
１１，１１ａ  首連結部
１２  前脚挿通部
１３  腹当部開口部
１４  開口部密閉部
１５  親水部材
１６  冷暖房具収納部
２０  ペット用腹巻
２１  冷暖房具収納部形成部
２１ａ  開口部
２１ｂ  係止片
２１ｃ  冷暖房具収納部開閉部
２２  背当切欠部
２３  親水部材
２４  冷暖房具収納部
３０  ペット用腹巻
３１  胴部装着部
３２，３２ａ  腹当連結部
３３  首輪係着部
３４，３４ａ  係止部
４０  首輪
【図１】
2005287321.tif 000003
【図２】
2005287321.tif 000004
【図３】
2005287321.tif 000005
【図４】
2005287321.tif 000006
【図５】
2005287321.tif 000007
【図６】
2005287321.tif 000008
【図７】
2005287321.tif 000009
【図８】
2005287321.tif 000010